(57)【要約】【課題】駐車料金の割引サービスにおいて、割引負担額の集計のための駐車場管理者の負担を低減する。【解決手段】店舗を識別する店舗ＩＤと、店舗毎の割引時間を示すコード情報が印字された駐車券を用いて駐車料金の精算処理を実行する精算機と、精算機と接続されるサーバと、記憶装置とを含む駐車料金の情報処理システムが提供される。記憶装置は、店舗ＩＤと、割引時間に対応する割引負担額を示す情報とを関連付けて記憶する。精算機は、駐車券に印字されたコード情報から、店舗ＩＤと、割引時間とを読み取る読取部と、読取部によって読み取られた店舗ＩＤ及び割引時間をサーバに送信する送信部と、を備える。サーバは、記憶装置に記憶された情報を参照して、精算機から送信された店舗ＩＤ毎に、精算機から送信された割引時間に基づく割引負担額を集計する集計部を備える。【選択図】図３
2018010339.tif 000002
【特許請求の範囲】
【請求項１】
店舗を識別する店舗ＩＤと、前記店舗毎の割引時間を示すコード情報が印字された駐車券を用いて駐車料金の精算処理を実行する精算機と、前記精算機と接続されるサーバと、記憶装置とを含む駐車料金の情報処理システムであって、
前記記憶装置は、店舗ＩＤと、割引時間に対応する割引負担額を示す情報とを関連付けて記憶し、
前記精算機は、
前記駐車券に印字されたコード情報から、前記店舗ＩＤと、前記割引時間とを読み取る読取部と、
前記読取部によって読み取られた店舗ＩＤ及び割引時間を前記サーバに送信する送信部と、を備え、
前記サーバは、前記記憶装置に記憶された情報を参照して、前記精算機から送信された店舗ＩＤ毎に、前記精算機から送信された割引時間に基づく割引負担額を集計する集計部を備える、
情報処理システム。
【請求項２】
前記コード情報は、二次元コードである、
請求項１に記載の情報処理システム。
【請求項３】
前記駐車券に、前記コード情報を印字するプリンタをさらに備える、
請求項１又は２に記載の情報処理システム。
【請求項４】
前記記憶装置は、割引負担額に関するステータスを示すステータス情報を前記店舗ＩＤと関連付けて記憶し、
前記サーバは、前記割引負担額を前記店舗に請求したとき、又は、前記店舗による前記割引負担額の支払が確認できたときに、前記ステータス情報を更新する更新部をさらに備える、
請求項１〜３の何れかに記載の情報処理システム。
【請求項５】
店舗を識別する店舗ＩＤと、前記店舗毎の割引時間を示すコード情報が印字された駐車券を用いて駐車料金の精算処理を実行する精算機と、前記精算機と接続されるサーバと、記憶装置とを含む駐車料金の管理方法であって、
前記記憶装置は、店舗ＩＤと、割引時間に対応する割引負担額を示す情報とを関連付けて記憶し、
前記精算機が、前記駐車券に印字されたコード情報から、前記店舗ＩＤと、前記割引時間とを読み取り、
前記精算機が、前記読み取られた店舗ＩＤ及び割引時間を前記サーバに送信し、
前記サーバが、前記記憶装置に記憶された情報を参照して、前記精算機から送信された店舗ＩＤ毎に、前記精算機から送信された割引時間に基づく割引負担額を集計する、
管理方法。
【発明の詳細な説明】
【技術分野】
【０００１】
本発明は、情報処理システム、及び、駐車料金の管理方法に関する。
【背景技術】
【０００２】
従来、二次元コードが印刷された駐車券を用いて、駐車料金の割引サービスを提供する技術が知られている（例えば、特許文献１）。
【０００３】
特許文献１では、店舗にカメラ付き携帯電話が設けられる。店舗は、カメラ付き携帯電話を用いて、駐車券に印刷された二次元コードを撮影する。カメラ付き携帯電話は、二次元コードの画像データを駐車券認証センターに送信する。駐車券認証センターは、カメラ付き携帯電話から送信された画像データに基づいて、所定のデータ処理を実行する。これにより、割引サービスが実現される。
【先行技術文献】
【特許文献】
【０００４】
【特許文献１】特開２００７―１２８２７９号公報
【発明の概要】
【発明が解決しようとする課題】
【０００５】
ところで、一般には、駐車料金の割引サービスを提供する場合、店舗は、駐車場利用客に適用された割引金額の一部を負担する必要がある。店舗の負担額（以下「割引負担額」という）は、駐車場管理者と店舗との間で締結された契約によって決まる。したがって、駐車場管理者は、定期的に、契約を参照して、店舗毎に駐車場利用客に適用した割引サービスの割引負担額を集計する必要がある。駐車場管理者にとって、この集計の負担は大きい。
【０００６】
特許文献１は、駐車場利用客に対する割引サービスの実現方法は開示しているが、割引負担額の集計方法は開示していない。したがって、特許文献１では、割引負担額の集計のための駐車場管理者の負担を低減することはできない。
【０００７】
本発明の目的は、駐車料金の割引サービスにおいて、割引負担額の集計のための駐車場管理者の負担を低減することである。
【課題を解決するための手段】
【０００８】
本発明の一態様は、
店舗を識別する店舗ＩＤと、前記店舗毎の割引時間を示すコード情報が印字された駐車券を用いて駐車料金の精算処理を実行する精算機と、前記精算機と接続されるサーバと、記憶装置とを含む駐車料金の情報処理システムであって、
前記記憶装置は、店舗ＩＤと、割引時間に対応する割引負担額を示す情報とを関連付けて記憶し、
前記精算機は、
前記駐車券に印字されたコード情報から、前記店舗ＩＤと、前記割引時間とを読み取る読取部と、
前記読取部によって読み取られた店舗ＩＤ及び割引時間を前記サーバに送信する送信部と、を備え、
前記サーバは、前記記憶装置に記憶された情報を参照して、前記精算機から送信された店舗ＩＤ毎に、前記精算機から送信された割引時間に基づく割引負担額を集計する集計部を備える、
情報処理システムである。
【発明の効果】
【０００９】
本発明によれば、駐車料金の割引サービスにおいて、割引負担額の集計のための駐車場管理者の負担を低減することができる。
【図面の簡単な説明】
【００１０】
【図１】本実施形態の概略を説明するための図。
【図２】本実施形態の情報処理システムの構成を示すブロック図。
【図３】図２の精算機、サーバ、及び、クライアント端末の構成を示すブロック図。
【図４】本実施形態のスタンプの概略図。
【図５】本実施形態の駐車券の概略図。
【図６】本実施形態の店舗データベースのデータ構造を示す図。
【図７】本実施形態の駐車場契約データベースのデータ構造を示す図。
【図８】本実施形態の出庫データベースのデータ構造を示す図。
【図９】本実施形態の情報処理の全体フローを示す図。
【図１０】図９の駐車料金の精算の処理のシーケンス図。
【図１１】図９の割引負担額の請求の処理のシーケンス図。
【図１２】図１１の処理において表示される画面の例を示す図。
【発明を実施するための形態】
【００１１】
以下、本発明の一実施形態について、図面に基づいて詳細に説明する。なお、実施形態を説明するための図面において、同一の構成要素には原則として同一の符号を付し、その繰り返しの説明は省略する。
【００１２】
（１）概略
本実施形態の概略について説明する。図１は、本実施形態の概略を説明するため図である。
【００１３】
店舗は、駐車場管理者との間で駐車場利用契約を締結している。駐車場利用契約には、割引時間毎の割引負担額が定められている。
「割引時間」とは、駐車場利用客に適用すべき割引金額の基準である。割引時間は、例えば、駐車場利用客が店舗に支払った金額に応じて、店舗が決める。
「割引負担額」とは、駐車場利用者に適用した割引金額のうち、店舗が負担すべき金額を意味する。割引負担額は、駐車場利用契約と割引時間とによって決まる。
【００１４】
駐車場利用客は、駐車場及び店舗を利用する。
駐車場利用客が店舗に支払を行うと、店舗は、支払金額に応じて、駐車料金の割引を適用する。
【００１５】
駐車場管理者は、駐車場を管理する。駐車場管理者は、駐車場利用客に対して駐車料金を請求し、かつ、店舗に対して割引負担額を請求する。
【００１６】
（２）情報処理システムの構成
本実施形態の情報処理システムの構成について説明する。図２は、本実施形態の情報処理システムの構成を示すブロック図である。図３は、図２の精算機、サーバ、及び、クライアント端末の構成を示すブロック図である。
【００１７】
図２に示すように、情報処理システム１は、精算機１０と、発券機２０と、サーバ３０と、クライアント端末５０とを備える。
サーバ３０は、ネットワーク（例えば、インターネット又はイントラネット）ＮＷを介して、精算機１０及びクライアント端末５０に接続される。
【００１８】
精算機１０は、駐車場に設けられる。精算機１０は、駐車場利用客による駐車料金の精算の処理を実行する情報処理装置の一例である。
【００１９】
発券機２０は、駐車場に設けられる。発券機２０は、駐車場利用客が駐車場に入庫するときに、駐車券を発行するように構成される。
【００２０】
サーバ３０は、精算機１０及びクライアント端末５０から送信されたリクエストに応じたレスポンスを、それぞれ、精算機１０及びクライアント端末５０に提供する情報処理装置の一例である。
【００２１】
クライアント端末５０は、サーバ３０にリクエストを送信する情報処理装置の一例である。クライアント端末５０は、例えば、スマートフォン、タブレット端末、又は、パーソナルコンピュータである。
【００２２】
（２−１）精算機の構成
精算機１０の構成について説明する。
【００２３】
図３に示すように、精算機１０は、記憶装置１１と、ＣＰＵ（Central Processing Unit）１２と、入出力インタフェース１３と、通信インタフェース１４と、カメラ１５と、磁気情報リーダ１６とを備える。
【００２４】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
プログラムは、例えば、ＯＳ（Operating System）のプログラム、情報処理を実行するアプリケーションのプログラム、及び、精算機１０のハードウェア（例えば、駐車場のゲート）を制御する制御プログラムである。
データは、例えば、駐車時間毎の駐車料金を示すデータテーブル、及び、情報処理を実行することによって得られるデータ（つまり、情報処理の実行結果）である。
【００２５】
ＣＰＵ１２は、記憶装置１１に記憶されたプログラムを起動することによって、精算機１０の機能を実現するように構成される。
【００２６】
入出力インタフェース１３は、精算機１０に設けられた入力デバイスからユーザの指示を受け付け、かつ、精算機１０に設けられた出力デバイスに情報を出力するように構成される。
入力デバイスは、例えば、テンキー、タッチパネル、又は、それらの組合せである。
出力デバイスは、例えば、ディスプレイ、スピーカ、又は、それらの組合せである。
【００２７】
通信インタフェース１４は、精算機１０とサーバ３０との間の通信を制御するように構成される。
【００２８】
カメラ１５は、所定のコード画像（「コード情報」の一例）の画像データを取得するように構成される。カメラ１５は、例えば、ＣＭＯＳ（Complementary Metal Oxide Semiconductor）イメージセンサを有する。
【００２９】
磁気情報リーダ１６は、駐車券の磁気記録層（後述）に記録された情報を読み取るように構成される。
【００３０】
（２−２）サーバの構成
サーバ３０の構成について説明する。
【００３１】
図３に示すように、サーバ３０は、記憶装置３１と、ＣＰＵ３２と、入出力インタフェース３３と、通信インタフェース３４とを備える。
【００３２】
記憶装置３１は、プログラム及びデータを記憶するように構成される。記憶装置３１は、例えば、ＲＯＭ、ＲＡＭ、及び、ストレージ（例えば、フラッシュメモリ又はハードディスク）の組合せである。
プログラムは、例えば、ＯＳのプログラム、及び、情報処理を実行するアプリケーションのプログラムである。
データは、例えば、情報処理において参照されるデータベース、及び、情報処理を実行することによって得られるデータ（つまり、情報処理の実行結果）である。
【００３３】
ＣＰＵ３２は、記憶装置３１に記憶されたプログラムを起動することによって、サーバ３０の機能を実現するように構成される。
【００３４】
入出力インタフェース３３は、サーバ３０に接続される入力デバイスからユーザの指示を受け付け、かつ、サーバ３０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００３５】
通信インタフェース３４（「送信部」の一例）は、サーバ３０とクライアント端末５０との間の通信を制御するように構成される。
【００３６】
（２−３）クライアント端末の構成
クライアント端末５０の構成について説明する。
【００３７】
図３に示すように、クライアント端末５０は、記憶装置５１と、ＣＰＵ５２と、入出力インタフェース５３と、通信インタフェース５４とを備える。
【００３８】
記憶装置５１は、プログラム及びデータを記憶するように構成される。記憶装置５１は、例えば、ＲＯＭ、ＲＡＭ、及び、ストレージの組合せである。
プログラムは、例えば、ＯＳのプログラム、及び、情報処理を実行するアプリケーション（例えば、ウェブブラウザ）のプログラムである。
データは、例えば、情報処理において参照されるデータベース、及び、情報処理を実行することによって得られるデータ（つまり、情報処理の実行結果）である。
【００３９】
ＣＰＵ５２は、記憶装置５１に記憶されたプログラムを起動することによって、クライアント端末５０の機能を実現するように構成される。
【００４０】
入出力インタフェース５３は、クライアント端末５０に接続される入力デバイスからユーザの指示を受け付け、かつ、クライアント端末５０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００４１】
通信インタフェース５４は、クライアント端末５０とサーバ３０との間の通信を制御するように構成される。
【００４２】
（３）スタンプ及び駐車券
本実施形態のスタンプ及び駐車券について説明する。
【００４３】
（３−１）スタンプ
本実施形態のスタンプについて説明する。図４は、本実施形態のスタンプの概略図である。
【００４４】
図４に示すように、店舗ＳＨ１には、複数のスタンプＳＴ１１及びＳＴ１２が設けられている。各スタンプＳＴ１１及びＳＴ１２の片面は、それぞれ、コード画像ＣＤ１１及びＣＤ１２の印字面である。
コード画像ＣＤ１１は、店舗ＳＨ１を識別する店舗ＩＤと、割引時間「１時間」を示す情報とを含む。
コード画像ＣＤ１２は、店舗ＳＨ１を識別する店舗ＩＤと、割引時間「２時間」を示す情報とを含む。
【００４５】
店舗ＳＨ２には、複数のスタンプＳＴ２１及びＳＴ２２が設けられている。各スタンプＳＴ２１及びＳＴ２２の片面は、それぞれ、コード画像ＣＤ２１及びＣＤ２２の印字面である。
コード画像ＣＤ２１は、店舗ＳＨ２を識別する店舗ＩＤと、割引時間「１時間」を示す情報とを含む。
コード画像ＣＤ２２は、店舗ＳＨ２を識別する店舗ＩＤと、割引時間「２時間」を示す情報とを含む。
【００４６】
各コード画像は、例えば、一次元バーコード、二次元コード、暗号化された図形、暗号化された文字列、又は、それらの組合せである。
【００４７】
（３−２）駐車券
本実施形態の駐車券について説明する。図５は、本実施形態の駐車券の概略図である。
【００４８】
図５Ａに示すように、駐車券ＰＴは、磁気ストライプＭＳと、テキスト領域ＴＡと、コード領域ＣＡとを有する。
【００４９】
磁気ストライプＭＳは、情報を記録可能な磁気層を含む。磁気ストライプＭＳには、駐車券を発券する発券機２０によって、駐車場への入庫の日時を示す情報（以下「入庫情報」という）が記録される。
【００５０】
テキスト領域ＴＡには、発券機２０によってテキスト情報ＴＸが印字される。テキスト情報ＴＸは、入庫情報を示している。
【００５１】
図５Ｂに示すように、コード領域ＣＡは、コード画像ＣＤ１１及びＣＤ２２を印字するための領域である。
駐車場利用客が店舗ＳＨ１に１０００円を支払った場合、店舗ＳＨ１は、支払金額（１０００円）に応じた割引時間（１時間）に対応するスタンプＳＴ１１を用いて、駐車場利用客が所有する駐車券ＰＴのコード領域ＣＡに、コード画像ＣＤ１１を印字する。
当該駐車場利用客が店舗ＳＨ２に２０００円を支払った場合、店舗ＳＨ２は、支払金額（２０００円）に応じた割引時間（２時間）に対応するスタンプＳＴ２２を用いて、駐車場利用客が所有する駐車券ＰＴのコード領域ＣＡに、コード画像ＣＤ２２を印字する。
【００５２】
（４）データベース
本実施形態のデータベースについて説明する。
【００５３】
（４−１）店舗データベース
本実施形態の店舗データベースについて説明する。図６は、本実施形態の店舗データベースのデータ構造を示す図である。
【００５４】
図６に示すように、店舗データベースは、「店舗ＩＤ」フィールドと、「店舗名」フィールドと、「メールアドレス」フィールドと、「駐車場契約ＩＤ」フィールドと、「未払額」フィールドと、「ステータス」フィールドとを含む。各フィールドは、互いに関連付けられている。
店舗データベースのレコード（以下「店舗レコード」という）には、店舗に関する情報（以下「店舗情報」という）が格納される。
店舗データベースは、サーバ３０の記憶装置３１に格納される。
【００５５】
「店舗ＩＤ」フィールドには、店舗を識別する店舗ＩＤが格納される。店舗ＩＤは、サーバ３０によって決定される。
【００５６】
「店舗名」フィールドには、店舗名を示すテキストが格納される。「店舗名」フィールドの情報は、店舗情報の登録時に、サーバ３０のオペレータ（例えば、駐車場管理者）、又は、店舗の担当者によって任意に決定される。
【００５７】
「メールアドレス」フィールドには、店舗のメールアドレスが格納される。「メールアドレス」フィールドの情報は、店舗情報の登録時に、サーバ３０のオペレータ、又は、店舗の担当者によって任意に決定される。
【００５８】
「駐車場契約ＩＤ」フィールドには、駐車場契約を識別する駐車場契約ＩＤが格納される。駐車場契約ＩＤは、サーバ３０のオペレータによって任意に決定される。
【００５９】
「未払額」フィールドには、店舗が駐車場管理者に支払っていない割引負担額の合計を示す情報が格納される。「未払額」フィールドの情報は、サーバ３０によって更新される。
【００６０】
「ステータス」フィールドには、店舗の割引負担額に関するステータスを示すコード（「ステータス情報」の一例）が格納される。コード「ＳＴＡ１」及び「ＳＴＡ２」は、それぞれ、第１ステータス及び第２ステータスを示す。第１ステータスは、割引負担額が未請求であることを示している。第２ステータスは、割引負担額が請求済であることを示している。
【００６１】
（４−２）駐車場契約データベース
本実施形態の駐車場契約データベースについて説明する。図７は、本実施形態の駐車場契約データベースのデータ構造を示す図である。
【００６２】
図７に示すように、駐車場契約データベースは、「駐車場契約ＩＤ」フィールドと、「割引負担額」フィールドとを含む。これらのフィールドは、互いに関連付けられている。
駐車場契約データベースのレコード（以下「駐車場契約レコード」という）には、駐車場契約に関する情報（以下「駐車場契約情報」という）が格納される。
駐車場契約データベースは、サーバ３０の記憶装置３１に格納される。
【００６３】
「駐車場契約ＩＤ」フィールドには、駐車場契約ＩＤが格納される。駐車場契約ＩＤは、サーバ３０のオペレータによって任意に決定される。
【００６４】
「割引負担額」フィールドは、割引時間毎のサブフィールド（「１時間」サブフィールド〜「３時間」サブフィールド）を含む。
各サブフィールドには、割引時間に応じた割引負担額（円）を示す情報が格納される。
各サブフィールドの情報は、駐車場契約を参照したサーバ３０のオペレータによって決定される。
【００６５】
（４−３）出庫データベース
本実施形態の出庫データベースについて説明する。図８は、本実施形態の出庫データベースのデータ構造を示す図である。
【００６６】
図８に示すように、出庫データベースは、「出庫ＩＤ」フィールドと、「日付」フィールドと、「駐車時間」フィールドと、「店舗ＩＤ」フィールドと、「割引時間」フィールドと、「駐車料金」フィールドとを含む。これらのフィールドは、互いに関連付けられている。
出庫データベースのレコード（以下「出庫レコード」という）には、駐車場利用客による駐車場からの車両の出庫に関する情報（以下「出庫情報」という）が格納される。
出庫データベースは、サーバ３０の記憶装置３１に格納される。
【００６７】
「出庫ＩＤ」フィールドには、出庫ＩＤが格納される。出庫ＩＤは、駐車場利用客による出庫を識別する情報である。１つの出庫ＩＤは、１枚の駐車券ＰＴに対応する。出庫ＩＤは、サーバ３０によって任意に決定される。
【００６８】
「日付」フィールドには、駐車券ＰＴに印字されたコード情報が精算機１０によって読み取られた日付を示す情報が格納される。
【００６９】
「駐車時間」フィールドには、駐車時間を示す情報が格納される。駐車時間とは、出庫時刻と入庫時刻との差を意味する。「駐車時間」フィールドの情報は、サーバ３０によって決定される。
【００７０】
「店舗ＩＤ」フィールドには、駐車料金の割引を適用した店舗を識別する店舗ＩＤが格納される。「店舗ＩＤ」フィールドの情報は、サーバ３０によって決定される。
【００７１】
「割引時間」フィールドには、店舗ＩＤ毎に、駐車場利用客に適用された割引時間を示す情報が格納される。「割引時間」フィールドの情報は、サーバ３０によって決定される。
【００７２】
「駐車料金」フィールドには、駐車場利用客に請求される駐車料金を示す情報が格納される。「駐車料金」フィールドの情報は、サーバ３０によって決定される。
【００７３】
（５）情報処理
本実施形態の情報処理について説明する。
【００７４】
（５−１）全体フロー
本実施形態の情報処理の全体フローについて説明する。図９は、本実施形態の情報処理の全体フローを示す図である。
【００７５】
図９に示すように、本実施形態の情報処理では、はじめに、駐車料金の精算の処理（ＯＰ１）が実施される。次に、割引負担額の請求の処理（ＯＰ２）が実施される。
本実施形態の情報処理は、ＣＰＵ１２、３２、及び、５３が、それぞれ、記憶装置１１、３１、及び、５１に記憶されたプログラムを実行することによって実現される。
【００７６】
（５−２）駐車料金の精算の処理
本実施形態の駐車料金の精算の処理について説明する。図１０は、図９の駐車料金の精算の処理のシーケンス図である。
【００７７】
図１０に示すように、はじめに、駐車場利用客は、駐車場に車両を入庫するときに、発券機２０によって発行された駐車券ＰＴ（図５Ａ）を受け取る（ＵＳ１００）。駐車券ＰＴの磁気ストライプＭＳには、入庫情報が記録される。駐車券ＰＴのテキスト領域ＴＡには、入庫情報を示すテキスト情報ＴＸが印字される。
【００７８】
駐車場利用客は、店舗ＳＨ１に支払（例えば、商品の購入金額の支払）を行うときに、店舗ＳＨ１に駐車券ＰＴを提示する（ＵＳ１０１）。
【００７９】
店舗ＳＨ１は、駐車場利用客の支払金額に応じた割引時間（例えば、１時間）に対応するスタンプＳＴ１１を用いて、駐車場利用客が提示した駐車券ＰＴのコード領域ＣＡにコード画像ＣＤ１１を印字する（ＳＳ１００）。
【００８０】
駐車場利用客は、駐車場から車両を出庫するときに、駐車券ＰＴを精算機１０の挿入口に挿入する（ＵＳ１０２）。
【００８１】
精算機１０は、コード情報の読取（Ｓ１００）を実行する。
具体的には、カメラ１５が、ＵＳ１０２において挿入された駐車券ＰＴのコード領域ＣＡに印字されたコード画像ＣＤ１１の画像データを取得する。
次に、ＣＰＵ１２が、カメラ１５によって取得された画像データを解析する。解析結果は、コード画像ＣＤ１１が示す店舗ＩＤ及び割引時間を含む。
Ｓ１００の処理を実行するＣＰＵ１２は、「読取部」の機能を実現する。
【００８２】
精算機１０は、駐車料金の提示（Ｓ１０１）を実行する。
具体的には、磁気情報リーダ１６が、ＵＳ１０２において挿入された駐車券ＰＴの磁気ストライプＭＳに記録された磁気情報が示す入庫情報を読み取る。
次に、ＣＰＵ１２が、磁気情報リーダ１６によって読み取られた入庫情報と、駐車券ＰＴが挿入された日時を示す情報（以下「出庫情報」という）とに基づいて、駐車時間を計算する。
次に、ＣＰＵ１２が、計算した駐車時間とＳ１００の解析結果である割引時間との差（以下「請求時間」という）を計算する。
次に、ＣＰＵ１２が、記憶装置１１に記憶されたデータテーブルを参照して、請求時間に対応する駐車料金を特定する。
次に、ＣＰＵ１２が、入出力インタフェース１３を介して、ディスプレイへの駐車料金の表示、スピーカからの駐車料金に対応する音声の出力、又は、それらの組合せを実行する。
【００８３】
駐車場利用客は、精算機１０に対して、駐車料金を支払う（ＵＳ１０３）。
【００８４】
精算機１０は、ゲートの開放（Ｓ１０２）を実行する。
具体的には、ＣＰＵ１２は、ＵＳ１０３において支払われた駐車料金が、Ｓ１０１において提示した駐車料金以上である場合、駐車場のゲートを開放する。
【００８５】
精算機１０は、精算情報の送信（Ｓ１０３）を実行する。
具体的には、ＣＰＵ１２は、精算情報を生成する。精算情報は、Ｓ１００の実行日を示す情報と、Ｓ１０１において計算された駐車時間を示す情報と、Ｓ１００の解析結果が示す店舗ＩＤ（例えば、「ＤＣ００１」）及び割引時間（例えば、「１時間」）と、ＵＳ１０３において駐車場利用客から支払われた駐車料金を示す情報とを含む。
次に、ＣＰＵ１２は、通信インタフェース１４を介して、生成した精算情報をサーバ３０に送信する。
Ｓ１０３の処理を実行するＣＰＵ１２は、「送信部」の機能を実現する。
【００８６】
サーバ３０は、出庫データベースの更新（Ｓ３００）を実行する。
具体的には、ＣＰＵ３２は、Ｓ１０３において精算機１０から送信された精算情報を受け付けると、出庫データベース（図８）に、新たな出庫レコードを追加する。新たな出庫レコードの「出庫ＩＤ」フィールドには、新たな出庫ＩＤが格納される。「駐車時間」フィールドには、精算情報に含まれる駐車時間を示す情報が格納される。「店舗ＩＤ」フィールド及び「割引時間」フィールドには、精算情報に含まれる店舗ＩＤ及び割引時間を示す情報の組合せが格納される。「駐車料金」フィールドには、精算情報に含まれる駐車料金を示す情報が格納される。
【００８７】
（５−３）割引負担額の請求の処理
本実施形態の割引負担額の請求の処理について説明する。図１１は、図９の割引負担額の請求の処理のシーケンス図である。図１２は、図１１の処理において表示される画面の例を示す図である。
【００８８】
割引負担額の請求の処理（図１１）の実行の頻度は、１ヶ月に１回である。
【００８９】
サーバ３０が、割引負担額の集計（Ｓ３１０）を実行する。
具体的には、ＣＰＵ３２は、出庫データベース（図６）を参照して、店舗ＩＤ毎に、割引時間の合計を計算する。この合計は、各店舗が駐車場利用客に適用した駐車料金の割引時間の合計を意味する。
次に、ＣＰＵ３２は、店舗データベース（図６）を参照して、集計の対象となる店舗ＩＤに関連付けられた駐車場契約ＩＤを特定する。
次に、ＣＰＵ３２は、駐車場契約データベース（図７）を参照して、割引時間の合計に基づく割引負担額の合計を計算する。この合計は、各店舗が駐車場利用客に適用した駐車料金の割引サービスにおいて、店舗が負担すべき割引負担額の合計を意味する。
Ｓ３１０の処理を実行するＣＰＵ３２は、「集計部」の機能を実現する。
【００９０】
サーバ３０が、請求情報の送信（Ｓ３１１）を実行する。
具体的には、ＣＰＵ３２が、請求情報を生成する。請求情報は、店舗データベース（図６）を参照して、請求情報の送信先となる店舗を識別する店舗ＩＤに関連付けられた店舗名及びメールアドレスを特定する。
次に、ＣＰＵ３２は、店舗ＩＤ毎に、請求情報を生成する。請求情報は、店舗ＩＤと、Ｓ３１０の集計結果（例えば、割引負担額の合計）と、Ｓ３１０の処理を実行した月（以下「請求月」という）を示す情報とを含む。
次に、ＣＰＵ３２は、通信インタフェース３４を介して、特定したメールアドレス宛に請求情報を送信する。
【００９１】
クライアント端末５０が、請求画面の表示（Ｓ５１０）を実行する。
具体的には、ＣＰＵ５２は、入出力インタフェース５３を介して、Ｓ３１１において送信された請求情報に基づく請求画面Ｐ１００（図１２）をディスプレイに表示する。
請求画面Ｐ１００は、店舗ＩＤと、店舗名と、請求月と、請求金額とを示す画像を含む。
【００９２】
サーバ３０が、店舗データベースの更新（Ｓ３１２）を実行する。
具体的には、ＣＰＵ３２は、Ｓ３１０において特定した店舗レコードの「ステータス」フィールドにコード「ＳＴＡ２」を格納する。
これにより、請求情報を受け付けたクライアント端末５０のユーザである店舗のステータスが第２ステータスに更新される。
Ｓ３１２の処理を実行するＣＰＵ３２は、「更新部」の機能を実現する。
【００９３】
割引負担額の支払が確認されると、サーバ３０は、店舗データベースの更新（Ｓ３１３）を実行する。
具体的には、ＣＰＵ３２は、店舗データベース（図６）において、対象となる店舗を識別する店舗ＩＤに関連付けられた「未払額」フィールドに「０」を格納し、かつ、「ステータス」フィールドにコード「ＳＴＡ１」を格納する。
これにより、割引負担額を支払った店舗の未払額が初期化され、かつ、当該店舗のステータスが第１ステータスに更新される。
Ｓ３１３の処理を実行するＣＰＵ３２は、「更新部」の機能を実現する。
【００９４】
本実施形態によれば、精算機１０が、駐車券ＰＴに印字されたコード情報から、店舗ＩＤ及び割引時間を読み取る。サーバ３０は、精算機１０によって読み取られた店舗ＩＤ及び割引時間に基づいて、店舗毎の割引負担額を集計する。
これにより、割引負担額の集計のための駐車場管理者の負担を低減することができる。
【００９５】
また、本実施形態によれば、サーバ３０が、店舗に対する割引負担額の請求、及び、店舗による割引負担額の支払に応じて、店舗のステータスを更新する。これにより、割引負担額の回収の状況を容易に管理することができる。
【００９６】
また、本実施形態によれば、精算機１０がコード情報を読み取るので、コード情報を読み取るための装置を店舗に設ける必要はない。したがって、情報処理システム１の導入コストを抑えることができる。特に、複数の店舗との間で駐車場契約を締結する駐車場管理者にとっては、店舗の数が増えても、導入コストが上昇しないので、有益である。
【００９７】
（６）変形例
本実施形態の変形例について説明する。
【００９８】
駐車券ＰＴに代えて、ＩＣカードを用いてもよい。この場合、店舗には、スタンプＳＴに代えて、ＩＣカードに情報を書き込むための書込装置が設けられている。
具体的には、ＵＳ１０１において、発券機２０によって、ＩＣカードに入庫情報が書き込まれる。
ＳＳ１００において、店舗は、駐車場利用客がＩＣカードを提示したときに、書込装置を用いて、割引時間を示す情報をＩＣカードに書き込む。
Ｓ１０１において、精算機１０は、駐車場利用客によって挿入されたＩＣカードに記憶された入庫情報に基づいて、駐車料金を提示する。
Ｓ１０３において、精算機１０は、駐車場利用客によって挿入されたＩＣカードに記憶された割引情報をサーバ３０に送信する。
【００９９】
スタンプＳＴに代えて、駐車券にコード画像ＣＤを印字するプリンタを用いてもよい。
具体的には、ＳＳ１００において、店舗は、駐車場利用客が駐車券ＰＴを提示したときに、プリンタを用いて、コード画像ＣＤをコード領域ＣＡに印字する。
これにより、駐車券にコード画像ＣＤを印字するための店舗の負担を低減することができる。
【０１００】
請求情報の送信（Ｓ３１１）において、請求情報をプリンタに送信してもよい。この場合、サーバ３０は、通信インタフェース３４を介して、プリンタに接続される。
具体的には、Ｓ３１１において、ＣＰＵ３２は、通信インタフェース３４を介して、請求情報をプリンタに送信する。
プリンタは、請求情報を所定の印字媒体に印字する。
サーバ３０のオペレータは、プリンタによって印字された印字媒体を、請求書として、所定の宛先に郵送する。
【０１０１】
割引負担額の請求の処理（図１１）の各ステップの実行の頻度は、１ヶ月に１回に限られない。
例えば、当該頻度は、１日に１回の頻度であってもよい。この場合、１日に１回の頻度で割引負担額が集計され、かつ、割引負担額が店舗に請求される。
また、割引負担額の集計（Ｓ３１０）の実行の頻度は１日に１回であり、Ｓ３１１〜Ｓ３１３の処理の実行の頻度は、１ヶ月に１回であってもよい。この場合、１日に１回の頻度で割引負担額が集計され、かつ、１ヶ月に１回の頻度で割引負担額が店舗に請求される。
何れの場合も、割引負担額を集計する頻度にかかわらず、駐車場管理者の作業負担を低減することができる。特に、駐車場管理者は、集計作業を実施することなく、店舗毎の割引負担額を把握することができる。
【０１０２】
記憶装置１１は、ネットワークＮＷを介して、精算機１０と接続されてもよい。記憶装置３１は、ネットワークＮＷを介して、サーバ３０と接続されてもよい。記憶装置５１は、ネットワークＮＷを介して、クライアント端末５０と接続されてもよい。
【０１０３】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【０１０４】
１        ：情報処理システム
１０      ：精算機
１１      ：記憶装置
１２      ：ＣＰＵ
１３      ：入出力インタフェース
１４      ：通信インタフェース
１５      ：カメラ
１６      ：磁気情報リーダ
３０      ：サーバ
３１      ：記憶装置
３２      ：ＣＰＵ
３３      ：入出力インタフェース
３４      ：通信インタフェース
５０      ：クライアント端末
５１      ：記憶装置
５２      ：ＣＰＵ
５３      ：入出力インタフェース
５４      ：通信インタフェース
【図１】
2018010339.tif 000003
【図２】
2018010339.tif 000004
【図３】
2018010339.tif 000005
【図４】
2018010339.tif 000006
【図５】
2018010339.tif 000007
【図６】
2018010339.tif 000008
【図７】
2018010339.tif 000009
【図８】
2018010339.tif 000010
【図９】
2018010339.tif 000011
【図１０】
2018010339.tif 000012
【図１１】
2018010339.tif 000013
【図１２】
2018010339.tif 000014